(57)【特許請求の範囲】
【請求項１】
使用者の足の指を収容する足指覆い部と、足底を覆う足底覆い部と、足甲を覆う足甲覆い部と、前記足甲覆い部よりも上部に設けた履き口部とを一体に有するくつ下であって、
前記履き口部は、足首に対する締め付けの弱い編み方により編成されている足首主部と、前記足首主部よりも上部に連続して形成された第１伸縮部及び第２伸縮部と、を有し、
前記第１伸縮部の伸縮度合いは、前記足首主部の伸縮度合いに比べて大きく、
前記第２伸縮部の伸縮度合いは、前記足首主部の伸縮度合いに比べて大きいが、前記第１伸縮部の伸縮度合いに比べて小さくなっており、
さらに、前記第１伸縮部の前側に形成された第１の指掛け部と、
前記足首主部の後側に形成された第２の指掛け部と、を有し、
前記第１の指掛け部と前記第２の指掛け部は、使用者の指を前記履き口部の内側から挿入する凹状の袋部からなる
ことを特徴とするくつ下。
【請求項２】
前記履き口部は他の部分の各覆い部よりも緩い力で使用者の足首よりも上の位置をソフトに締めて覆う筒状の部分であることを特徴とする請求項１に記載のくつ下。
【請求項３】
前記足指覆い部は、第１足趾（親指）を収容する母趾袋部と、第２足趾から第５足趾を収容する大袋部とに区分されていることを特徴とする請求項１または請求項２に記載のくつ下。
【請求項４】
前記足甲覆い部の編成の引張力は、前記足底覆い部の編成の引張力に比べて大きくなるように設定されていることを特徴とする請求項１ないし請求項３のいずれかに記載のくつ下。
【請求項５】
前記足底覆い部と前記足甲覆い部の間には後覆い部分を有し、前記後覆い部分には、ゴム編み部分が設けられていることを特徴とする請求項１ないし請求項４のいずれかに記載のくつ下。
【発明の詳細な説明】
【技術分野】
【０００１】
本発明は、特に高齢者や身体の不自由な人のような使用者が容易に履くことができるくつ下に関する。
【背景技術】
【０００２】
高齢者等の使用者が履くためのくつ下に類したものとして、高齢者が外反母趾の矯正をする目的で使用する外反母趾矯正用具が、特許文献１に提案されている。
この外反母趾矯正用具は、親指を収容する外反母趾袋部と、他の指を収容する大袋部を有し、高齢者がこの外反母趾矯正用具を履くことにより、外反母趾矯正用具が苦痛等を与えることなく外反母趾を矯正して、外反母趾に起因する転倒の危険性を防止するようになっている。
【先行技術文献】
【特許文献】
【０００３】
【特許文献１】特開２００９−２７９３９９号公報
【発明の概要】
【発明が解決しようとする課題】
【０００４】
ところで、使用者がくつ下を履く場合には、通常、使用者は右手の指と左手の指を用いてくつ下の履き口部を持って拡げて、拡げた履き口部から足の先端をくつ下の中に入れて、そしてくつ下を両手で引き上げることで、くつ下により足全体と足首を覆う。
ところが、高齢者や身体の不自由な人等の使用者がくつ下を履く場合には、両手の指を使うことが必ずしもできない場合があり、この場合には両手の指を用いてくつ下の履き口部を持って拡げることができないことから、高齢者や身体の不自由な人がくつ下を容易に履くことができないという問題がある。
そこで、本発明は、高齢者や身体の不自由な人のような使用者が容易に履くことができるくつ下を提供することを目的とする。
【課題を解決するための手段】
【０００５】
本発明のくつ下は、使用者の足の指を収容する足指覆い部と、足底を覆う足底覆い部と、足甲を覆う足甲覆い部と、前記甲覆い部よりも上部に設けた履き口部とを一体に有するくつ下であって、前記履き口部は、足首に対する締め付けの弱い編み方により編成されている足首主部と、前記足首主部よりも上部に連続して形成された第１伸縮部及び第２伸縮部と、を有し、前記第１伸縮部の伸縮度合いは、前記足首主部の伸縮度合いに比べて大きく、前記第２伸縮部の伸縮度合いは、前記足首主部の伸縮度合いに比べて大きいが、前記第１伸縮部の伸縮度合いに比べて小さくなっており、さらに、前記第１伸縮部の前側に形成された第１の指掛け部と、前記足首主部の後側に形成された第２の指掛け部と、を有し前記第１の指掛け部と前記第２の指掛け部は、使用者の指を前記履き口部の内側から挿入する凹状の袋部からなることを特徴とする。
上記構成によれば、使用者が足の指先部を先端だけ前記履き口部に差し入れた状態で、指掛け部に自らの指を掛けてくつ下を引き上げることで、高齢者や身体の不自由な人のような使用者であっても、くつ下を容易に履くことができる。すなわち、使用者が両手でくつ下の履き口部を広げて両手の指で引き上げてくつ下を履くことができなくても、片手の指を指掛け部に掛けてくつ下を足首側に引き上げるだけで、くつ下を容易に履くことができ、履いた後は、日常活動においてピッタリとフィットしてズレが発生することがない。
【０００７】
好ましくは、前記第１の指掛け部は、使用者の指の一部を挿入できる凹状の袋部もしくは引っかけ部でなることを特徴とする。
上記構成によれば、使用者にとって、視覚的にも理解し易い指掛け部を形成することができる。
好ましくは、前記履き口部は他の部分の各覆い部よりも緩い力で使用者の足首よりも上の位置をソフトに締めて覆う筒状の部分であることを特徴とする。
上記構成によれば、足首の周りでしっかり足首周りを引き締めつつ、その上の部分は履き口部でソフトに覆い、使用者に着用中の不快な感触や負担をかけないで、かつずり下がることがないくつ下を提供することができる。
【０００８】
好ましくは、前記足指覆い部は、第１足趾（親指）を収容する母趾袋部と、第２足趾から第５足趾を収容する大袋部とに区分されていることを特徴とする。
上記構成によれば、足指覆い部が母趾袋部と大袋部に区分されているので、第１足趾（親指）を他の足趾から離すことができ、外反母趾を有効に防止することができる。
好ましくは、前記足甲覆い部の編成の引張力は、前記足底覆い部の編成の引張力に比べて大きくなるように設定されていることを特徴とする。
上記構成によれば、使用者が足をくつ下に収容した際に、足甲覆い部は足指覆い部を強く上方向に引き上げることができるから、使用者の足の各指を上方に向けるように作用する。このため、使用者が高齢者や身体の不自由ない人であっても、椅子に座った状態から容易に立ちあがることができるようになり、使用者が立ち上がる際に転倒することを有効に防止できる。
【０００９】
好ましくは、前記足底覆い部と前記足首覆い部の間には後覆い部分を有し、前記後覆い部分には、ゴム編み部分が設けられていることを特徴とする。
上記構成によれば、後覆い部分は、くつ下が足首からずり落ちるのを防ぐことができる。
【発明の効果】
【００１０】
本発明は、高齢者や身体の不自由な人のような使用者が容易に履くことができるくつ下を提供することができる。
【図面の簡単な説明】
【００１１】
【図１】本発明のくつ下の好ましい実施形態を示す斜視図。
【図２】図２（Ａ）は、図１に示すくつ下の上面を示し、図２（Ｂ）は、図１に示すくつ下の下面を示す図。
【図３】使用者が指を用いて、くつ下を使用者の足に装着しようとする動作例を示す側面図。
【図４】くつ下が使用者の足に装着された後の状態を示す斜視図。
【図５】図５（Ａ）は、本発明の実施形態のくつ下において、足に荷重がかかるポイントＰ１、Ｐ２、Ｐ３を示す図であり、図５（Ｂ）は、比較例のくつ下において、足に荷重がかかるポイントＰ１、Ｐ２、Ｐ３を示す図。
【発明を実施するための形態】
【００１２】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  図１は、本発明のくつ下の好ましい実施形態を示す斜視図であり、図１ではくつ下は、使用者の足に装着された状態を示している。
図２（Ａ）は、図１に示すくつ下１の上面を示し、図２（Ｂ）は、図１に示すくつ下１の下面を示しているが、図２では、くつ下１には足が挿入されていない。
図１と図２に示すくつ下１は、代表して右足用のくつ下を示しているが、左足用のくつ下の形状は、右足用のくつ下１の形状と左右対称形状であり、左足用のくつ下の機能や効果は、図１と図２に示す右足用のくつ下１の機能や効果と同じである。
【００１３】
図１と図２に示すくつ下１の使用者例としては、好ましくは高齢者や身体の不自由な人であり、このくつ下１は、使用者の足全体と足首Ｆを覆う編地からなり、例えば好ましくは表側は、５３０デニール程度の繊維径の綿製、裏側（肌側）は、１６０デニール程度の繊維径で、弾性糸として機能する、ナイロンカバーがされたポリウレタン製である。５３０デニールを越えると伸縮性がほぼなくなり、１６０デニールより小さいと強度が低下する。
以下に詳細に説明するが、くつ下１は、使用者が両手の指を用いて履き口部を広げなくても、片手の指の動作だけで容易に履くことができる構造を有している。
しかも、このくつ下１は、好ましくは外反母趾を防止する機能を有しており、使用者が履いて装着することで、親指を外側に向けることにより外反母趾を防ぎ、歩行時の身体のバランスを保つことにより転倒の危険性を少なくすることができる等、後述するように種々の利点を備えるものである。
【００１４】
図１に示すくつ下１は、素肌への刺激が少ないものとなるように考慮されている。
くつ下１は、先端の足指覆い部２と、下側の足底覆い部３と、上側の足甲覆い部４と、履き口部５と後覆い部分７とを一体に有しており、全体的に、少なくともくつ下に求められる伸縮性を有している。符号８はゴム編み部分である。
図１と図２に示す足指覆い部２は、使用者の足先の第１足趾から第５足趾を収容する部分であり、足底覆い部３は、使用者の足の足底を覆う部分である。足甲覆い部４は、使用者の足の甲部分を覆う部分で、履き口部５は特に柔軟な布地でなり、足首Ｆの上方を筒状にソフトに締め付けて覆う部分である。履き口部５の上部には、履き口開口部６が形成されており、この履き口開口部６は、使用者の足を挿入するための開口部分である。
【００１５】
図１と図２に示すように、足指覆い部２は、母趾袋部２Ａと大袋部２Ｂを有しており、母趾袋部２Ａと大袋部２Ｂは、分け目部分２Ｃにより区分されている。
母趾袋部２Ａでは、その先端部２Ｇが袋状になって足の第１足趾（親指）を収容することができる。大袋部２Ｂでは、その先端部２Ｆが袋状になって足の第２足趾から第５足趾を収容するようになっている。このように、足指覆い部２が母趾袋部２Ａと大袋部２Ｂに明確に区分されているので、足の第１足趾を第２足趾から第５足趾から離れた外側に向けることができ、足指覆い部２は第１足趾が第２足趾側に向くことを阻止して、外反母趾を有効に防止することができる。
【００１６】
図１と図２（Ｂ）に示すくつ下１の足底覆い部３は、袋状の母趾袋部２Ａの先端部２Ｇと袋状の大袋部２Ｂの先端部２Ｆから、後覆い部分７にかけて連続して編成されている。この足底覆い部３と母趾袋部２Ａと大袋部２Ｂは、厚みのある生地でソフトな感触をえられるようにされた構造であり、好ましくは、例えば、あぜ編みにより編成されている。このように、足底覆い部３と母趾袋部２Ａと大袋部２Ｂがあぜ編みにより編成されていることにより、足裏（足底）と足の第１足趾から第５足趾を収容して覆う際に、図２（Ｂ）に示すＴ方向とＳ方向に沿って十分に柔軟性をもって使用者が楽にこの部分を伸ばすことができ、しかも足裏と第１足趾から第５足趾を保温することができる。図１と図２（Ｂ）に示すＴ方向は、足裏の長手方向であり、Ｓ方向は足裏の幅方向である。
【００１７】
一方、図１と図２（Ａ）に示すくつ下１の足甲覆い部４は、母趾袋部２Ａの上側内端部２Ｄと大袋部２Ｂの上側内端部２Ｅから、履き口部５にかけて連続して編成されている。この足甲覆い部４は、足底覆い部３と母趾袋部２Ａと大袋部２Ｂのあぜ編みに比べて伸びにくく引張力が強くなるように、好ましくは、例えばタック（重ね）編みにより編成されている。すなわち、足甲覆い部４の編成部分の引張力は、足底覆い部３の編成部分の引張力に比べて大きく（強く）なるように設定されている。
このように、足甲覆い部４は、足底覆い部３とは異なり、タック（重ね）編みにより編成されているので、使用者が足をくつ下１内に収容した際に、足甲覆い部４の領域を強く引くことで、母趾袋部２Ａと大袋部２Ｂ内の第１足趾から第５足趾を強くＲ方向（上方向）に引き上げることができる。このように、使用者の第１足趾から第５足趾の先端が上向きに引き上げることができることから、高齢者や身体の不自由ない人であっても、椅子に座った状態から容易に立ちあがることができるようになり、使用者が立ち上がる際に転倒することを有効に防止できる。
ここで、足甲覆い部４のタック編み部は、図示の実施形態では、その全体に施されているが、全体でなくても、例えば、母趾袋部２Ａに対応する領域だけに施されるようにしてもよいし、大袋部２Ｂに対応した領域にだけ設けられても良い。しかしながら、もし部分的に設ける場合、少なくとも母趾袋部２Ａに対応する領域に設けると、高齢者等の足の力の弱い人が使用する場合に、立ち上がりの際や、方向の安定に特に効果的である。
足底覆い部３には、幅方向全体にわたる少なくとも３本の襞と、両側に少なくとも１０本の襞を設けている。こうすることで、伸縮性，柔軟性に優れ、高齢者や身体の不自由ない人であっても容易にくつ下１をしっかりと装着することができる。
【００１８】
次に、図１と図２（Ｂ）に示すくつ下１の後覆い部分７は、足底覆い部３の後端部３Ｓと履き口部５の下端部Ｒの間に編成されている。足底覆い部３の後端部３Ｓと後覆い部分７の下部分７Ｂは、足の踵を覆う部分９を編成している。足の踵を覆う部分９は、図２（Ｂ）に示すように足を入れていない状態では、弛んだ袋状になるように外側に突き出すように編成されており、後覆い部分７は、好ましくは、その中心部にあぜ編み部８ａ、その両側にタック編み部８ｂ，８ｃ、さらにタック編み部８ｂ，８ｃの外側に、あぜ編み部８ｄ，８ｅで編成している。あぜ編み部８ａの幅は１０ｍｍ程度、タック編み部８ｂ，８ｃの幅は２５ｍｍ程度、あぜ編み部８ｄ，８ｅの幅は、２５ｍｍ程度である。また、あぜ編み部８ａ，あぜ編み部８ａ，８ｄ，８ｅには、幅方向全体にわたる少なくとも４本の襞を設けている。あぜ編み部８ａ，８ｄ，８ｅにより、足を収容する際に図２（Ｂ）に示すＰ方向とＱ方向に沿って十分に伸縮性，柔軟性をもって伸ばすことができ、高齢者や身体の不自由ない人であっても容易にくつ下１をしっかりと装着することができる。しかも足の踵を保温することができる。一方、タック編み部８ｂ，８ｃにより、装着後にくつ下１がズレ落ちることなくしっかり固定できるようになる。
これらのあぜ編み部８ａ，８ｄ，８ｅ、タック編み部８ｂ，８ｃは、図２（Ｂ）に示すように、Ｐ方向に平行に編成されている。
足甲覆い部４の後端部４Ｌと後覆い部分７の上端部７Ｌと、あぜ編み部８ａ，８ｄ，８ｅ、タック編み部８ｂ，８ｃとで、足首覆い部を形成している。この足首覆い部は、装着状態で使用者の足首を、履き口部５よりも強めに締めることにより、くつ下１が容易に脱げないように機能する。
【００１９】
図１に示すように、くつ下１の履き口部５は、足甲覆い部４の後端部４Ｌと後覆い部分７の上端部７Ｌの上に一体に編成されている。すなわち、履き口部５は、履き口部は他の部分の各覆い部よりも緩い力で使用者の足首よりも上の位置をソフトに締めて覆う筒状の部分である筒状の履き口部５の上端部は履き口開口部６となっている。
このため、足首の周りでしっかり足首周りを引き締めつつ、その上の部分は履き口部でソフトに覆い、使用者に着用中の不快な感触や負担をかけないで、かつずり下がることがない。
この履き口部５は、長手方向の長さが８０〜９０ｍｍ、好ましくは８５ｍｍで、足首主部５Ａと第１伸縮部５Ｂと第２伸縮部５Ｃを有している。
足首主部５Ａは、足首に対する締め付けの弱い編み方により編成されている。第１伸縮部５Ｂと第２伸縮部５Ｃはこの足首主部５Ａに連続して形成されており、リング状の第１伸縮部５Ｂの伸縮度合いは、足首主部５Ａの伸縮度合いに比べてかなり大きくなっている。リング状の第２伸縮部５Ｃの伸縮度合いは、第１伸縮部５Ｂの伸縮に追従できるようにするために、足首主部５Ａの伸縮度合いに比べて大きいが、第１伸縮部５Ｂの伸縮度合いに比べて小さくなっている。
【００２０】
くつ下１は少なくとも一つの指掛け部を有している。指掛け部は、くつ下の履き口部５よりも上側に少なくとも一つ設けることが好ましくは、該指掛け部は、使用者の指の一部を挿入できる凹状の袋部もしくは凹状となっていなくても、くつ下の幅方向に横切るヒモ部、あるいは細幅のベルト部等でなる引っかけ部で形成することができる。
第１伸縮部５Ｂの前側（表側）、すなわち足甲覆い部４よりも上側の位置には、第１の指掛け部１０が、くつ下１の幅方向のほぼ中心部に外側に基部の幅（３５ｍｍ程度）よりも先端部の幅（２０ｍｍ程度）を小さくして、８ｍｍ程度突き出して編成されている。後で説明するが、この指掛け部は、この実施形態では、形成箇所の布地を凹状の袋状としたものである。
第１の指掛け部１０は、使用者の手の指（例えば人差し指）Ｇを挿入することで、指Ｇの力を用いてくつ下１を足に対して引き上げて足を挿入する第１動作を行うために形成されている。
また、図１に示すように、履き口部５の足首主部５Ａの後側（裏側）には、第２の指掛け部１１が、くつ下１の幅方向のほぼ中心部に外側に基部の幅（４０ｍｍ程度）よりも先端部の幅（１５ｍｍ程度）を小さくして、２０ｍｍ程度突出して形成されている。第２の指掛け部１１は、第１の指掛け部１０とは反対側の位置に形成されているが、第１の指掛け部１０よりはさらに下側に長手方向で、５０ｍｍ程度離間して設けてあり、第２の指掛け部１１は、後覆い部分７のすぐ上側の位置に編成されている。後で説明するが、この袋状の第２の指掛け部１１は、使用者の手の指（例えば人差し指）Ｇを挿入することで、指Ｇの力を用いてくつ下１をさらに足に対して引き上げて足を挿入する第２動作を行うために形成されている。
【００２１】
次に、上述したくつ下１の使用例、すなわち使用者が片手の指Ｇを用いてくつ下１を足に履く動作例を、図３と図４を参照して説明する。図３は、使用者が指を用いて、くつ下を使用者の足に装着しようとする途中の動作例を示す側面図であり、図４は、くつ下が使用者の足に装着された後の状態を示す斜視図である。
図３（Ａ）に示すように、使用者は指でくつ下１の履き口部５を持って、足Ｄのつま先Ｈをくつ下１の履き口開口部６に入れる。そして、指Ｇを袋状の第１の指掛け部１０に履き口部５の内側から挿入して、指Ｇの力を用いてくつ下１を足Ｄに対してＭ方向に沿って斜め上方向に引き上げて足Ｄを挿入する第１動作を行う。すなわち、足Ｄのつま先Ｈを履き口開口部６に挿入した後、使用者は指Ｇを第１の指掛け部１０に挿入して履き口部５をＭ方向に引き上げると、図３（Ｂ）に示すように、くつ下１は足Ｄの踵部分Ｗを覆うことができる。
【００２２】
この場合に、指Ｇを第１の指掛け部１０に挿入して履き口部５をＭ方向に引き上げるのに伴って、例えば図３（Ｃ）に例示するように、第２伸縮部５Ｃが第１伸縮部５Ｂ側の上に外側に向けてまくれて重なることにより、足Ｄの足首Ｆは、履き口開口部６から、より挿通されやすくなるので、この点からもより容易にくつ下１内に挿入できる。
さらに、図３（Ｂ）に示すように、使用者の指Ｇを履き口部５の内側から袋状の第２の指掛け部１１に挿入して、指Ｇの力を用いてくつ下１を足Ｄに対してＮ方向に沿って上側にさらに引き上げる第２動作を行う。これにより、使用者は片手の１本の指Ｇを用いるだけで、図４に示すように、足Ｄは、くつ下１内に完全に容易に収容することができ、使用者はくつ下１を容易に履くことができる。
【００２３】
このように、高齢者や身体の不自由な人のような使用者は、指Ｇを第１の指掛け部１０と第２の指掛け部１１の順に、履き口部５の内側から挿入して、第１の指掛け部１０と第２の指掛け部１１を利用してくつ下１を順次引き上げる動作を行うことで、使用者が両手でくつ下１の履き口開口部６を広げて両手の指で引き上げてくつ下１を履くことができなくても、使用者はくつ下１を引き上げて容易に履くことができる。
従って、本発明の実施形態のくつ下１は、従来、両手の指を用いてくつ下の履き口部を持って拡げることができず、高齢者や身体の不自由な人がくつ下を容易に履くことができないという問題を解消することができる。第１の指掛け部１０と第２の指掛け部１１は、指Ｇの力がかかっても、十分に対応して伸長することができるので、使用者は容易にくつ下１の履き口部５を引き上げることができる。握力の弱い人、片手が麻痺している人や高齢者等が、第１の指掛け部１０と第２の指掛け部１１を利用してくつ下１を引き上げる動作を順次行うことで、両手でくつ下１の履き口開口部６を広げて両手の指で引き上げてくつ下１を履くことができなくても、くつ下１を容易に履くことができる。
【００２４】
図１に示すくつ下１では、足指覆い部２は母趾袋部２Ａと大袋部２Ｂに明確に区分されているので、図４に示すように、使用者が足をくつ下１内に収容すると、図１に示す母趾袋部２Ａは、足の第１足趾（親指）を収容し、大袋部２Ｂは、足の第２足趾から第５足趾を収容することができる。このように、足指覆い部２が母趾袋部２Ａと大袋部２Ｂに区分されているので、足の第１足趾（親指）を第２足趾から第５足趾から離れた外側に向けることができ、外反母趾を有効に防止することができる。
【００２５】
本発明の実施形態のくつ下１を使用した場合には、足にかかる荷重の分散は、図５（Ａ）に示すように、３つのポイントＰ１、Ｐ２、Ｐ３に分散される。ポイントＰ１は親指にあり荷重分散率は２５％であり、ポイントＰ２は第２足趾から第５足趾側にあり荷重分散率は２５％、そしてポイントＰ３は踵にあり荷重分散率は５０％である。このように、ポイントＰ１、Ｐ２は位置が明確に離れており、２５％ずつ荷重を分散できるので、Ｃ方向について足の安定性を保つことができ、歩行安定性を維持できるので、使用者が転倒することを防止できる。
これに対して、比較例として示す図５（Ｂ）のように、足指覆い部が母趾袋部と大袋部に区分されていない場合には、ポイントＰ１とポイントＰ２は近接してしまうことから、使用者はＣ方向について足の安定性を欠くことになり、歩行安定性を維持し難くなり、転倒し易くなる。
【００２６】
図１に示す足甲覆い部４は、好ましくはゴム編みにより編成されているので、使用者が足をくつ下１に収容した際に、足甲覆い部４は、母趾袋部２Ａと大袋部２Ｂ内の第１足趾から第５足趾を強くＲ方向（上方向）に引き上げることができる。このため、本発明の実施形態のくつ下１は、第１足趾から第５足趾を強くＲ方向に引き上げることができない場合に比べて、使用者が高齢者や身体の不自由ない人であっても、椅子に座った状態から容易に立ちあがることができるようになり、使用者が立ち上がる際に転倒することを有効に防止できる。
【００２７】
ところで、本発明は上記実施形態に限定されず、本発明は様々な修正と変更が可能であり、特許請求の範囲に記載された範囲で種々の変形が可能である。
図示例のくつ下１では、足指覆い部２が母趾袋部２Ａと大袋部２Ｂに区分されているが、足指覆い部２が母趾袋部と大袋部に区分されていなくても良い。また、足指覆い部２の大袋部２Ｂは、第２足趾から第５足趾にそれぞれ区分されるようになっていても良い。くつ下１の材質は綿製に限らず、例えば綿、ナイロン（登録商標）、ポリウレタンの混紡等であっても良い。
【符号の説明】
【００２８】
１・・・くつ下、２・・・足指覆い部、２Ａ・・・母趾袋部、２Ｂ・・・大袋部、３・・・足底覆い部、４・・・足甲覆い部、５・・・履き口部、６・・・履き口部開口部、７・・・後覆い部分、８・・・ゴム編み部分、９・・・足の踵を覆う部分、１０・・・第１の指掛け部、１１・・・第２の指掛け部、Ｄ・・・使用者の足、Ｆ・・・足首、Ｇ・・・使用者の手の指
【図１】
0005841354.tif 000002
【図２】
0005841354.tif 000003
【図３】
0005841354.tif 000004
【図４】
0005841354.tif 000005
【図５】
0005841354.tif 000006